(57)【要約】【課題】乗用型田植機（移植機）に折畳み式の予備苗載せ台を装着するにあたり、機体の重心が高くなるといった不具合を改善する。【解決手段】走行機体１４の側部に、機体前端から前方に突出して畦際から予備苗を補給することができる予備苗載せ台１５を設けるにあたり、該予備苗載せ台１５を、固定苗台１５ａと、該固定苗台１５ａの前方に展開して走行機体１４の前端から突出する可動苗台１５ｂにより構成すると共に、該可動苗台１５ｂを固定苗台１５ａの上に折畳んだ状態で両苗台１５ａ，１５ｂを下方に折畳み可能に構成し、且つ植付作業機２７の最大幅以内に両苗台１５ａ，１５ｂを収納できるようにした。【選択図】図２
2007289078.tif 000002
【特許請求の範囲】
【請求項１】
走行機体（１４）の後部に植付作業機（２７）を連結し、走行機体（１４）の側部に機体前端から前方に突出して畦際から予備苗を補給する予備苗載せ台（１５）を備えた移植機において、前記予備苗載せ台（１５）を下方移動可能に構成したことを特徴とする移植機。
【請求項２】
前記予備苗載せ台（１５）を下方に折畳み可能に構成した請求項１に記載の移植機。
【請求項３】
前記予備苗載せ台（１５）を植付作業機（２７）の最大幅以内に収納可能に構成した請求項１または請求項２に記載の移植機。
【発明の詳細な説明】
【技術分野】
【０００１】
本発明は、走行機体の側部に畦際から予備苗を連続的に補給するための予備苗載せ台を備えた乗用型田植機等の移植機に関する。
【背景技術】
【０００２】
従来、乗用型田植機等の移植機においては、畦際から当該移植機に予備苗を補給する際は、畦際の補助作業者が移植機のオペレータに予備苗を一枚ずつ手渡ししていたが、作業性が極めて悪いことから、その改善策として、畦際から予備苗を連続的に補給することができる折畳み式の予備苗載せ台を機体の側部に配設したものが知られている（例えば、特許文献１参照）。
【特許文献１】特開２００５−１７６６８０号公報（第４−６頁、図１、図８）
【発明の開示】
【発明が解決しようとする課題】
【０００３】
ところが、上述した従来の折畳み式の予備苗載せ台は、圃場面からの段差が大きい畦際の道路等から予備苗の補給が行なえるように機体の前方へ大きく突出しており、偏荷重を支えるために予備苗載せ台の支持構造、または予備苗載せ台本体を強固な構造にせざるを得ず、更に当該予備苗載せ台を上方に折畳むことによって機体の重心が高くなるといった不具合を有していた。
【課題を解決するための手段】
【０００４】
本発明は、上記課題を解決することを目的としたものであって、走行機体の後部に植付作業機を連結し、走行機体の側部に機体前端から前方に突出して畦際から予備苗を補給する予備苗載せ台を備えた移植機において、前記予備苗載せ台を下方移動可能に構成したことを第１の特徴としている。
【０００５】
そして、前記予備苗載せ台を下方に折畳み可能に構成したことを第２の特徴としている。
【０００６】
更に、前記予備苗載せ台を植付作業機の最大幅以内に収納可能に構成したことを第３の特徴としている。
【発明の効果】
【０００７】
請求項１の発明によれば、走行機体の後部に植付作業機を連結し、走行機体の側部に機体前端から前方に突出して畦際から予備苗を補給する予備苗載せ台を備えた移植機において、前記予備苗載せ台を下方移動可能に構成したことによって、移植機を比較的高速で路上走行させる際や、移植機を凹凸の大きい圃場へ出入りさせる場合には、当該予備苗載せ台を下方移動させておけば走行機体の重心位置を下げることができるので、移植機の安全且つ安定した走行が可能になる。
【０００８】
そして、請求項２の発明によれば、前記予備苗載せ台を下方に折畳み可能に構成したこと、当該予備苗載せ台を簡単な構成で且つ容易に下方移動させることができる。
【０００９】
更に、請求項３の発明によれば、前記予備苗載せ台を植付作業機の最大幅以内に収納可能に構成したことによって、省スペース化が図れると共に、移植機をトラック等で運搬する際や倉庫に格納する際に、移植機の最大幅部分となる植付作業機から予備苗載せ台が突出することがないので、当該運搬作業や格納作業を支障なく行なうことができる。
【発明を実施するための最良の形態】
【００１０】
次に、本発明の実施形態を図面に基づいて説明する。図１及び図２は、移植機である４条植えの乗用型田植機１１の側面図と平面図であって、この乗用型田植機１１は、左右一対の前輪１２及び後輪１３に支持された走行機体１４を有し、その左右一側（本実施例では右側）に詳細は後述する折畳み式の予備苗載せ台１５を配設すると共に、他側（左側）には、上下２段の予備苗台を備える予備苗載せ台１６を設けている。
【００１１】
そして、走行機体１４の前側には、ボンネット１７で覆われた図示しないエンジンを搭載すると共に、ボンネット１７の後方には、ステアリングホイール１８、図示しない主変速レバー、及び運転操作パネル１９等を備えた操縦部２１と、該操縦部２１の床面を形成するステップ２２、座席２３を支持する機体カバー２４を設けている。尚、機体カバー２４の後部には、走行機体１４に支持した平坦な苗補給用ステップ２５を設けている。
【００１２】
また、走行機体１４の後方には、昇降リンク機構２６を介して植付作業機２７を昇降自在に連結している。植付作業機２７は、前高後低状に傾斜して設けた苗載せ台２８と、該苗載せ台２８から苗を掻取って植え付ける複数の植付杆２９を備えた移植装置３１と、この移植装置３１の下方には、植付け田面を整地するフロート３２等を設けているが、これらの基本的な構成は何れも従来通りであり詳細な説明を省略する。
【００１３】
そして、ボンネット１７の左右両側に形成されているフロントステップ３３の右側下方には、走行機体１４から外側方に延出させて立ち上げた２本の支柱３４ｆ，３４ｒを備えるブラケット３４が設けてあり、このブラケット３４に、圃場からの段差が大きい畦際の道路や畦から予備苗（マット苗）を連続的に補給することができる折畳み式の予備苗載せ台１５を装着している。尚、フロントステップ３３の左側下方には、図２及び図６に示すように、走行機体１４から外側方に延出させて立ち上げた一本の支柱５６を有し、この支柱５６に、苗載せ姿勢から上方に折り畳んだ図示しない格納姿勢に姿勢変更可能な上下２段の予備苗台５７，５７を装着している。
【００１４】
更に詳しくは、上述したブラケット３４を構成する２本の支柱３４ｆ，３４ｒの上部には、前高後低状の支持パイプ３５が固設してあり、この支持パイプ３５の前後両端部に嵌装する側面視でコ字状の断面形状を有するホルダ３６，３６に、図３及び図４に示す如く折畳み式の予備苗載せ台１５を構成する固定苗台１５ａを螺設すると共に、詳細は後述する姿勢保持手段Ｋを介して、当該固定苗台１５ａを図４に示すように走行機体１４の中心側に内側下がり傾斜で保持している。
【００１５】
そして、固定苗台１５ａの前端部の支点Ｐ１に可動苗台１５ｂを回動可能に支持してあり、この可動苗台１５ｂは、図１に実線で示すように、固定苗台１５ａ前方のボンネット１７より高い位置に展開して走行機体１４の前端から大きく突出する展開姿勢状態と、二点鎖線で示すように固定苗台１５ａの上方に折畳んだ格納姿勢状態に姿勢変更することができる。
【００１６】
尚、可動苗台１５ｂが展開姿勢状態または格納姿勢状態にある時は、該可動苗台１５ｂと固定苗台１５ａは、上述した支持パイプ３５と同様な前高後低の傾斜姿勢に保持されるようになっている。また、可動苗台１５ｂを固定苗台１５ａの上方に折畳んだ格納姿勢状態において、両苗台１５ａ，１５ｂの夫々に予備苗を載置できるように両苗台１５ａ，１５ｂの上下間隔を設定している。この時可動苗台１５ｂはステアリングホイール１８の上方に位置すると共に、当該可動苗台１５ｂの後端部は、座席２３の前端とステアリングホイール１８の後端との間に収まっている。
【００１７】
そして、座席２３前側の左右側方には、ステップ２２が回り込んで形成されており、このステップ２２が回り込んで形成された部分に臨んで、当該ステップ２２よりも一段低い位置に補助ステップＳが設けてあることから、該補助ステップＳを利用して乗用型田植機１１のオペレータがステップ２２へ乗降しようとする際、可動苗台１５ｂと固定苗台１５ａが邪魔になることがないのでスムーズな乗降が可能である。
【００１８】
尚、固定苗台１５ａと可動苗台１５ｂは、軽量部材であるアルミ合金製の左右の外枠、またはポリアミド（ナイロン）等の熱可塑性樹脂を用いて射出成形した左右の外枠間に、所定の前後間隔で複数の転動ローラ４１を取り付けたローラコンベアの形態を採用している。
【００１９】
そして、圃場面からの段差が大きい畦際の道路や畦等から予備苗載せ台１５に予備苗を補給する際は、先ず走行機体１４の前端から大きく突出する可動苗台１５ｂを、例えば畦際に進入させ、しかる後に予備苗が育苗されている方形状の苗箱、あるいは苗箱に育苗されている予備苗を図示しない苗スクレーパで掬い取った状態で、予備苗載せ台１５の複数の転動ローラ４１上を走行機体１４の後方に向けて滑らせることによって、当該予備苗を畦際から連続的に予備苗載せ台１５上に補給することができる。
【００２０】
また、可動苗台１５ｂを固定苗台１５ａの上方に折畳んだ格納姿勢状態で、両苗台１５ａ，１５ｂを下方移動可能、即ち図２、図５、及び図６に示すように、両苗台１５ａ，１５ｂを下方に折畳むことができるように構成している。
【００２１】
更に詳しくは、図３及び図４に示すように、支持パイプ３５の後端部に嵌装して固定苗台１５ａの後部を支持する側面視でコ字状の断面形状を有するホルダ３６には、このホルダ３６の一側に固設したボス３６ａに貫通すると共に、支持パイプ３５側に固設した固定苗台１５ａの前後の位置決め手段を兼ねるプレート３５ａに係止するＬ字状のロックピン４５を設けている。
【００２２】
そして、このロックピン４５は、その先端部がプレート３５ａに穿設した係止孔Ｈ１，Ｈ２のうち、何れか一方の孔に常時は係止させることができるように圧縮スプリング４６を介して付勢している。即ち、前記ロックピン４５、圧縮スプリング４６、及び係止孔Ｈ１，Ｈ２によって固定苗台１５ａの姿勢保持手段Ｋを構成しており、図３及び図４に示すように、ロックピン４５の先端をプレート３５ａに穿設した係止孔Ｈ１に係止させた固定苗台１５ａの姿勢保持状態で、可動苗台１５ｂを展開姿勢状態と格納姿勢状態とに姿勢変更することができる。
【００２３】
また、可動苗台１５ｂを固定苗台１５ａの上方に折畳んだ格納姿勢状態において、上述した係止孔Ｈ１に対するロックピン４５の係止を解除することにより、両苗台１５ａ，１５ｂを支持パイプ３５を支点として一体に下方回動させ、次いでロックピン４５の先端をプレート３５ａに穿設した係止孔Ｈ２に係止することによって、両苗台１５ａ，１５ｂを図２、図５、及び図６に示すように下方に折畳むことができるように構成している。
【００２４】
そして、図示するように可動苗台１５ｂと固定苗台１５ａを一体に下方に折畳んだ状態では、両苗台１５ａ，１５ｂは、ステアリングホイール１８の下方に位置すると共に、両苗台１５ａ，１５ｂを下方に折畳む前の横幅よりも折畳んだ後の横幅のほうが狭くなるので、詳細は後述する植付作業機２７の最大幅以内に両苗台１５ａ，１５ｂを収納することができる。
【００２５】
尚、上述したように可動苗台１５ｂを固定苗台１５ａの上方に折畳んだ格納姿勢状態から、両苗台１５ａ，１５ｂを一体に下方に折畳む時は、固定苗台１５ａの前端部の支点Ｐ１に回動可能に支持されている可動苗台１５ｂが、当該支点Ｐ１を中心として外側に開くことがないように、図示しない固定フックやゴムバンド等を用いた適切な開き防止手段を設けることが好ましい。
【００２６】
以上説明したように折畳み式の予備苗載せ台１５を構成することによって、乗用型田植機（移植機）１１を比較的高速で路上走行させる際や、乗用型田植機１１を凹凸の大きい圃場へ出入りさせる場合には、当該予備苗載せ台１５を下方移動させておけば走行機体１４の重心位置を下げることができるので、乗用型田植機１１の安全且つ安定した走行が可能になる。そして、本実施例の如く植付条数の少ない４条植えの乗用型田植機１１のように、前後輪１２，１３の輪距が狭い走行機体１４を有する小型の移植機であっても、その転倒角が低下することを回避可能であり、特に走行機体１４の左右一側にのみに折畳み式の予備苗載せ台１５を設ける場合には極めて有効である。
【００２７】
また、可動苗台１５ｂと固定苗台１５ａを一体に下方に折畳み可能に構成したことにより、両苗台１５ａ，１５ｂを簡単な構成で且つ容易に下方移動させることができる。更に、図２に示すように、両苗台１５ａ，１５ｂを一体に下方に折畳むことにより、植付作業機２７の最大幅以内、即ち左右一対のエプロンガード５１，５１よりも内側に両苗台１５ａ，１５ｂを収納できると共に、両苗台１５ａ，１５ｂの先端が走行機体１４の前端から突出することがないので省スペース化が図れる。したがって、乗用型田植機１１をトラック等で運搬する際や倉庫に格納する際に、乗用型田植機１１の最大幅部分となる植付作業機２７から両苗台１５ａ，１５ｂが突出することがないので作業性が向上する。
【００２８】
そして、可動苗台１５ｂと固定苗台１５ａを下方に折畳んだ状態の時も、乗用型田植機１１のオペレータは、ステップ２２よりも一段低い位置に設けられた補助ステップＳを利用して、支障なく当該ステップ２２へ乗降することができる。尚、可動苗台１５ｂと固定苗台１５ａを一体に折畳むことなく下方移動させるには、折畳み式の予備苗載せ台１５を装着する２本の支柱３４ｆ，３４ｒを上下に伸縮自在に構成することによっても可能である。
【００２９】
ところで、固定苗台１５ａの姿勢保持手段Ｋを構成する係止孔Ｈ１，Ｈ２を穿設したプレート３５ａに、ロックピン４５が係止可能な図示しない更なる係止孔を穿設することによって、固定苗台１５ａの保持姿勢を図４に示す状態よりも、更に走行機体１４の中心側に内側下がり傾斜で保持できるように構成すれば、乗用型田植機１１のオペレータが予備苗載せ台１５から予備苗を取り出して後方の苗載せ台２８に供給する際、この予備苗を手で持ち易くなり、また当該固定苗台１５ａの保持姿勢の変更もロックピン４５のプレート３５ａに対するワンタッチ係脱により簡単に行えるので作業性が向上する。
【００３０】
尚、折畳み式の予備苗載せ台１５を装着するブラケット３４の走行機体１４側、即ち
フロントステップ３３側には、図示しない苗箱に育苗されている予備苗を掬い取る苗スクレーパを収容可能な籠状の収納具５５取り付けている。
【図面の簡単な説明】
【００３１】
【図１】乗用型田植機の側面図。
【図２】乗用型田植機の平面図。
【図３】固定苗台の装着構成を示す一部省略側面図。
【図４】図３におけるＡ矢視図（姿勢保持手段の構成を示す）。
【図５】予備苗載せ台を下方に折畳んだ状態を示す乗用型田植機の側面図。
【図６】予備苗載せ台を下方に折畳んだ状態を示す部省略平面図。
【符号の説明】
【００３２】
１４    走行機体
１５    （折畳み式の）予備苗載せ台
２７    植付作業機
【図１】
2007289078.tif 000003
【図２】
2007289078.tif 000004
【図３】
2007289078.tif 000005
【図４】
2007289078.tif 000006
【図５】
2007289078.tif 000007
【図６】
2007289078.tif 000008